(57)【要約】【課題】効率的な運用が可能な排水システム及びサーバ装置を提供する。【解決手段】排水システム１は、汚水発生源１１で発生する汚水を集水する集水タンク１６、集水タンク１６に集水された汚水を外部に排出する圧送ポンプ１８、汚水発生源１１から集水タンク１６に集水される汚水の量を検出し、検出結果を示す検出情報をネットワークＮに送信する流量センサ２０、及び流量センサ２０からネットワークＮに送信される検出情報を収集して予め規定された処理を行い、その処理の結果に基づいて圧送ポンプ１８の制御を行うエッジサーバ２１と、を備える。【選択図】図１
2018162622.tif 000002
【特許請求の範囲】
【請求項１】
汚水発生源で発生する汚水を集水する集水部と、該集水部に集水された汚水を外部に排出する圧送ポンプとを備える排水システムにおいて、
前記汚水発生源から前記集水部に集水される汚水の量を検出し、検出結果を示す検出情報をネットワークに送信する検出装置と、
前記検出装置から前記ネットワークに送信される前記検出情報を収集して予め規定された処理を行い、該処理の結果に基づいて前記圧送ポンプの制御を行うサーバ装置と、
を備える排水システム。
【請求項２】
前記サーバ装置は、前記排水システムに最適な前記集水部の容量及び前記圧送ポンプの能力を求める処理を行い、該処理の結果を示す情報を出力する、請求項１記載の排水システム。
【請求項３】
前記検出装置は、前記汚水発生源から前記集水部までの間に設けられて前記集水部に集水される汚水の流量を検出する流量センサ、又は前記汚水発生源から前記集水部までの間に設けられた弁装置の開閉を検出する開閉センサである、請求項１又は請求項２記載の排水システム。
【請求項４】
前記汚水発生源の近傍に設置された貯水部と、
前記貯水部の最低水位以下に一端が接続された吸引管と、
前記吸引管の他端に接続された弁装置と、
一端が前記弁装置に接続され、他端が前記集水部に接続された負圧排水管と、
前記集水部に負圧管を介して接続された真空ポンプと、
を備える請求項１から請求項３の何れか一項に記載の排水システム。
【請求項５】
汚水発生源で発生する汚水を集水する集水部と、該集水部に集水された汚水を外部に排出する圧送ポンプとを備える排水システムで用いられるサーバ装置であって、
前記汚水発生源から前記集水部に集水される汚水の量を検出し、検出結果を示す検出情報をネットワークに送信する検出装置から、前記ネットワークに送信される前記検出情報を収集して予め規定された処理を行い、該処理の結果に基づいて前記圧送ポンプの制御を行う、サーバ装置。
【発明の詳細な説明】
【技術分野】
【０００１】
本発明は、排水システム及びサーバ装置に関する。
【背景技術】
【０００２】
排水システムは、重力式の排水システムと、真空式の排水システムとに大別される。重力式の排水システムは、重力による自然流下を利用して汚水等の排水を行うシステムであり、真空式の排水システムは、真空ポンプを用いて配管内を負圧状態に保ち、配管内の圧力と大気圧との圧力差を利用して汚水等の排水を強制的に行うシステムである。重力式の排水システムは、重力による自然流下を利用するものであるから、下流向きに続く下降勾配を必要とするのに対し、真空式の排水システムは、配管内の圧力と大気圧との圧力差を利用するものであるから、下降勾配を必ずしも必要とせず、逆勾配でも排水することが可能である。
【０００３】
以下の特許文献１には、従来の真空式の排水システムの一例が開示されている。具体的に、以下の特許文献１には、汚水の液面高さが吸引管の一端よりも高い位置にある状態で汚水の排水を停止可能にして、排水時の空気等の気体の吸引を回避して液体のみを吸引して排水することで、騒音及び配管の振動を抑えるようにした排水システムが開示されている。
【先行技術文献】
【特許文献】
【０００４】
【特許文献１】特開２０１３−７２１１号公報
【発明の概要】
【発明が解決しようとする課題】
【０００５】
ところで、上述した真空式の排水システムの一種に、吸引された汚水等を集める集水タンクと、集水タンク内の汚水等を外部に圧送する圧送ポンプとを備え、集水タンクが満水状態にならないように圧送ポンプを制御するシステムがある。このような排水システムでは、例えば集水タンク内に設けられた液面センサ（汚水等の液面を検出するセンサ）の検出結果に基づいて、集水タンクが満水状態に至る前に予め圧送ポンプを制御して汚水等を外部に圧送することで、集水タンクが満水状態にならないようにしている。
【０００６】
しかしながら、このような排水システムにおいても、排水が集中する状況が生ずると集水タンクが満水状態になる可能性が考えられる。例えば、集合住宅等の建物に設けられている場合において、テレビで放映される人気イベントのコマーシャルの時間に集中して排水が行われるといった状況では、圧送ポンプの能力が追いつかずに集水タンクが満水状態になる可能性が考えられる。
【０００７】
従来は、容量のより大きな集水タンクを設け、或いは能力のより高い圧送ポンプを設けることで、上記の排水が集中する状況が生じたとしても、集水タンクが満水状態とならないようしていた。集水タンクは、容量が増大するにつれて高価になるとともに大きな設置スペースが必要になる傾向がある。圧送ポンプも同様に、能力が高くなるにつれて高価になるとともに大きな設置スペースが必要になる傾向がある。
【０００８】
上記の排水が集中する状況は、希な状況であるにも関わらず、高価且つ設置スペースの必要となる大容量の集水タンク及び高性能の圧送ポンプを設置することは非効率であると考えられる。尚、このような問題点は、真空式の排水システムに限って生ずる固有の問題という訳ではなく、集水タンクと圧送ポンプとを備える排水システム一般について生ずる問題である。
【０００９】
本発明は上記事情に鑑みてなされたものであり、効率的な運用が可能な排水システム及びサーバ装置を提供することを目的とする。
【課題を解決するための手段】
【００１０】
上記課題を解決するために、本発明の排水システムは、汚水発生源（１１）で発生する汚水を集水する集水部（１６）と、該集水部に集水された汚水を外部に排出する圧送ポンプ（１８）とを備える排水システム（１）において、前記汚水発生源から前記集水部に集水される汚水の量を検出し、検出結果を示す検出情報をネットワーク（Ｎ）に送信する検出装置（２０）と、前記検出装置から前記ネットワークに送信される前記検出情報を収集して予め規定された処理を行い、該処理の結果に基づいて前記圧送ポンプの制御を行うサーバ装置（２１）と、を備える。
また、本発明の排水システムは、前記サーバ装置が、前記排水システムに最適な前記集水部の容量及び前記圧送ポンプの能力を求める処理を行い、該処理の結果を示す情報を出力する。
また、本発明の排水システムは、前記検出装置が、前記汚水発生源から前記集水部までの間に設けられて前記集水部に集水される汚水の流量を検出する流量センサ、又は前記汚水発生源から前記集水部までの間に設けられた弁装置の開閉を検出する開閉センサである。
また、本発明の排水システムは、前記汚水発生源の近傍に設置された貯水部（１２）と、前記貯水部の最低水位以下に一端が接続された吸引管（１３）と、前記吸引管の他端に接続された弁装置（１４）と、一端が前記弁装置に接続され、他端が前記集水部に接続された負圧排水管（１５）と、前記集水部に負圧管（Ｐ１）を介して接続された真空ポンプ（１７）と、を備える。
本発明のサーバ装置は、汚水発生源（１１）で発生する汚水を集水する集水部（１６）と、該集水部に集水された汚水を外部に排出する圧送ポンプ（１８）とを備える排水システム（１）で用いられるサーバ装置（２１）であって、前記汚水発生源から前記集水部に集水される汚水の量を検出し、検出結果を示す検出情報をネットワーク（Ｎ）に送信する検出装置（２０）から、前記ネットワークに送信される前記検出情報を収集して予め規定された処理を行い、該処理の結果に基づいて前記圧送ポンプの制御を行う。
【発明の効果】
【００１１】
本発明によれば、汚水発生源から集水部に集水される汚水の量を検出し、その検出結果を示す検出情報をネットワークに送信する検出装置から、ネットワークに送信される検出情報を収集して予め規定された処理を行い、その処理の結果に基づいて圧送ポンプの制御を行うようにしているため、効率的な運用が可能であるという効果がある。
【図面の簡単な説明】
【００１２】
【図１】本発明の一実施形態による排水システムの要部構成を示すブロック図である。
【図２】本発明の一実施形態によるサーバ装置の要部構成を示すブロック図である。
【発明を実施するための形態】
【００１３】
以下、図面を参照して本発明の一実施形態による排水システム及びサーバ装置について詳細に説明する。
【００１４】
〈排水システム〉
図１は、本発明の一実施形態による排水システムの要部構成を示すブロック図である。図１に示す通り、本実施形態の排水システム１は、汚水発生源１１、貯水部１２、吸引管１３、弁装置１４、負圧排水管１５、集水タンク１６（集水部）、真空ポンプ１７、圧送ポンプ１８、弁開閉装置１９、流量センサ２０（検出装置）、エッジサーバ２１（サーバ装置）、及び端末装置２２を備える。
【００１５】
尚、本実施形態の排水システム１は、マンションや集合住宅等の建物Ｂで発生する汚水を外部（例えば、公共下水管）に排水するものであるとする。このため、排水システム１をなす上記の構成のうち、汚水発生源１１、貯水部１２、吸引管１３、弁装置１４、負圧排水管１５、及び流量センサ２０は、建物Ｂの部屋Ｒ毎（例えば、マンションの専有部分毎）に設けられるものとする。
【００１６】
汚水発生源１１は、汚水が発生し得る箇所であり、例えばトイレや台所におけるシンクである。貯水部１２は、汚水発生源１１の近傍に設置され、例えば上水道から供給される水を貯水する部位であり、例えばトイレのタンク等である。吸引管１３は、汚水発生源１１で発生する汚水を吸引するための配管である。この吸引管１３は、貯水部１２の最低水位以下に一端が接続され、他端が弁装置１４に接続されている。
【００１７】
弁装置１４は、弁開閉装置１９からの指示に基づいて開状態又は閉状態になる弁である。例えば、弁装置１４は、汚水発生源１１で発生した汚物の排水が行われる場合には、弁開閉装置１９からの指示に基づいて開状態とされ、汚水発生源１１で発生した汚物の排水が完了した場合には、弁開閉装置１９からの指示に基づいて閉状態とされる。尚、汚水発生源１１における汚物の発生がない場合には、弁装置１４は閉状態とされる。
【００１８】
負圧排水管１５は、真空ポンプ１７によって内部が負圧状態に保たれる配管であり、一端が弁装置１４に接続され、他端が集水タンク１６に接続される。前述の通り、弁装置１４は、建物Ｂの部屋Ｒ毎に設けられることから、負圧排水管１５の一端は、建物Ｂの部屋Ｒ毎に設けられた弁装置１４にそれぞれ接続されているということができる。集水タンク１６は、負圧排水管１５によって吸引される汚水が集められるタンクである。
【００１９】
真空ポンプ１７は、負圧管Ｐ１を介して集水タンク１６に接続されており、集水タンク１６を介して負圧排水管１５の内部を負圧状態に保つためのポンプである。真空ポンプ１７によって負圧排水管１５の内部が負圧状態に保たれることにより、弁装置１４が開状態とされたときに、負圧排水管１５内の圧力と大気圧との圧力差により、汚水発生源１１で発生した汚水が、吸引管１３、弁装置１４、及び負圧排水管１５を介して、集水タンク１６に集水される。
【００２０】
圧送ポンプ１８は、集水タンク１６内の汚水を外部に圧送するためのポンプである。この圧送ポンプ１８は、ネットワークＮに接続され、エッジサーバ２１の制御の下で集水タンク１６内の汚水を外部に圧送する。尚、ネットワークＮに対する圧送ポンプ１８の接続形態は任意でよい。例えば、有線接続であっても良く、無線接続であっても良い。また、圧送ポンプ１８は、ネットワークＮに常時接続されているのが望ましい。
【００２１】
弁開閉装置１９は、弁装置１４を開状態又は閉状態にする指示を与える装置である。この弁開閉装置１９としては、例えばトイレのレバーハンドル、スイッチ、貯水部１２に設けられた水位センサ及び演算装置、タイマー、水位センサ及び演算装置等が挙げられる。例えば、トイレのレバーハンドル、スイッチ、又は貯水部１２に設けられた水位センサ及び演算装置は、弁装置１４を開状態にする指示を与えるものとして用いることができ、タイマー又は水位センサ及び演算装置は、弁装置１４を閉状態にする指示を与えるものとして用いることができる。
【００２２】
流量センサ２０は、汚水発生源１１から集水タンク１６までの間に設けられて、集水タンク１６に集水される汚水の流量を検出するセンサである。前述の通り、流量センサ２０は、建物Ｂの部屋Ｒ毎に設けられることから、流量センサ２０では、建物Ｂの部屋Ｒ毎の汚水発生源１１で発生して集水タンク１６に集水される汚水の流量を部屋Ｒ毎に検出するセンサであるということができる。尚、流量センサ２０の設置位置は、各部屋Ｒ内であっても良く、各部屋Ｒ外であっても良い。
【００２３】
流量センサ２０は、インターネット等のネットワークＮに接続されており、検出した汚水の流量を示す検出情報を、エッジサーバ２１に向けてネットワークＮに送信する。尚、ネットワークＮに対する流量センサ２０の接続形態は任意でよい。例えば、有線接続であっても良く、無線接続であっても良い。また、流量センサ３０は、ネットワークＮに常時接続している必要は必ずしもなく、上記の検出情報をネットワークＮに送信するときのみネットワークＮに接続するものであっても良い。
【００２４】
エッジサーバ２１は、流量センサ２０の各々からネットワークＮに送信される検出情報を収集して予め規定された処理を行い、その処理の結果に基づいて圧送ポンプ１８の制御を行う。具体的に、エッジサーバ２１は、ネットワークＮを介して収集した流量センサ２０の検出情報に対して統計処理を行って集水タンク１６の集水状況の傾向を求め、その傾向に基づいて圧送ポンプ１８の制御を行う。
【００２５】
例えば、エッジサーバ２１は、上記の流量センサ２０の検出情報に対する統計処理を行って、季節毎、曜日毎、時間帯毎、その他の集水タンク１６の集水状況を示す情報を求める。そして、エッジサーバ２１は、求めた集水状況を示す情報を考慮して圧送ポンプ１８を制御することにより、集水タンク１６が満水状態とならないようにする。例えば、日曜日の夜に集水タンク１６の集水量が急増する傾向がある場合には、日曜日の午後から夕方にかけて圧送ポンプ１８を動作させて予め集水タンク１６の集水量を減らしておく、といった制御を行う。尚、圧送ポンプ１８を動作させるタイミングはあくまでも一例であって、集水タンク１６の集水量の急増が見込まれる時刻から、予め規定された時間だけ前の時点において圧送ポンプ１８を動作させても良い。
【００２６】
また、エッジサーバ２１は、排水システム１に最適な集水タンク１６の容量及び圧送ポンプ１８の能力を求める処理を行い、その処理の結果を示す情報を出力する。具体的に、エッジサーバ２１は、上述した統計処理によって得られた集水タンク１６の集水状況を示す情報に基づいて、集水タンク１６の容量と圧送ポンプ１８の能力との組み合わせを変えつつ集水タンク１６が満水とならない組み合わせを求め、更に組み合わせ毎のコスト及び設置スペースを考慮して、排水システム１に最適な集水タンク１６の容量及び圧送ポンプ１８の能力を求める。
【００２７】
端末装置２２は、ネットワークＮに接続されて、エッジサーバ２１から各種情報を得るために用いられる端末装置である。この端末装置２２は、例えばデスクトップ型、ノート型、又はタブレット型のパーソナルコンピュータによって実現される。端末装置２２は、例えば排水システム１の設計者等によって操作され、上述した排水システム１に最適な集水タンク１６の容量及び圧送ポンプ１８の能力を、エッジサーバ２１から得るために用いられる。
【００２８】
〈サーバ装置〉
図２は、本発明の一実施形態によるサーバ装置の要部構成を示すブロック図である。図２に示す通り、本実施形態のサーバ装置としてのエッジサーバ２１は、通信部３１、記憶部３２、計時部３３、及び処理部３４を備える。通信部３１は、ネットワークＮに接続されて、処理部３４の制御の下でネットワークＮを介した通信を行う。ネットワークＮに対する通信部３１の接続形態は任意でよい。例えば、有線接続であっても良く、無線接続であっても良い。
【００２９】
記憶部３２は、揮発性若しくは不揮発性の半導体メモリ等の一次記憶装置、又はＨＤＤ（ハードディスクドライブ）やＳＳＤ（ソリッドステートドライブ）等の二次記憶装置を備えており、エッジサーバ２１で用いられる各種情報を記憶する。例えば、前述した統計処理の結果を示す情報（季節毎、曜日毎、時間帯毎、その他の集水タンク１６の集水状況を示す情報）を記憶する。計時部３３は、例えばパルスカウンタ等の計時機能を有しており、時間を計時する。
【００３０】
処理部３４は、センサデータ収集部３４ａ、センサデータ処理部３４ｂ、及び圧送ポンプ制御部３４ｃを備えており、前述した各種の処理及び制御を行う。センサデータ収集部３４ａは、流量センサ２０の各々からネットワークＮに送信される検出情報の収集を行う。センサデータ処理部３４ｂは、センサデータ収集部３４ａで収集された検出情報に対し、前述した統計処理を行って集水タンク１６の集水状況の傾向を求める。また、センサデータ処理部３４ｂは、例えばネットワークＮを介した端末装置２２からの要求に応じて、前述した排水システム１に最適な集水タンク１６の容量及び圧送ポンプ１８の能力を求める処理も行う。圧送ポンプ制御部３４ｃは、センサデータ処理部３４ｂで行われた処理の結果に基づいて、圧送ポンプ１８の制御を行う。
【００３１】
〈排水システムの動作〉
次に、上記構成における排水システム１の動作について説明する。まず、建物Ｂのある部屋Ｒにおいて、弁装置１４が閉状態とされているとする。また、負圧排水管１５の内部は、真空ポンプ１７によって負圧状態に保たれているとする。この状態で、建物Ｂのある部屋Ｒにおいて、弁開閉装置１９から弁装置１４に対して弁装置１４を開状態にする指示が与えられたとする。
【００３２】
すると、弁装置１４は開状態になり、負圧排水管１５内の圧力と大気圧との圧力差によって、汚水発生源１１で発生した汚水が、吸引管１３、弁装置１４、及び負圧排水管１５を介して、集水タンク１６に集水される。このとき、負圧排水管１５を流れた汚水の流量が流量センサ２０で検出され、汚水の流量を示す検出情報がエッジサーバ２１に向けてネットワークＮに送信される。
【００３３】
エッジサーバ２１に向けてネットワークＮに送信された検出情報は、エッジサーバ２１の通信部３１で受信された後に、処理部３４のセンサデータ収集部３４ａで収集される。尚、センサデータ収集部３４ａで収集された検出情報は、記憶部３２に記憶される。尚、エッジサーバ２１では、流量センサ２０から検出情報が送信される度に上記の処理が行われる。
【００３４】
以上の処理が繰り返され、一定量以上の検出情報が得られると、記憶部３２に記憶された検出情報がセンサデータ処理部３４ｂによって読み出されて、前述した統計処理が行われる。尚、センサデータ処理部３４ｂによって統計処理が行われるタイミングは任意のタイミングで良く、例えば、季節毎、曜日毎、時間帯毎に行われても良い。センサデータ処理部３４ｂで行われた統計処理の結果を示す情報（季節毎、曜日毎、時間帯毎、その他の集水タンク１６の集水状況を示す情報）は、記憶部３２に記憶される。
【００３５】
以上の統計処理が行われると、センサデータ処理部３４ｂの処理結果に基づいた圧送ポンプ１８の制御が圧送ポンプ制御部３４ｃによって行われる。例えば、計時部３３で計時される時刻が、集水タンク１６の集水量が急増すると予測される時刻から予め規定された時間だけ前の時刻になったときに、圧送ポンプ制御部３４ｃが圧送ポンプ１８を動作させる制御を行う。このような制御が行われることで、仮に排水が集中したとしても、集水タンク１６が満水状態になるのを防止することができる。
【００３６】
また、例えば排水システム１の設計者等によって端末装置２２が操作され、排水システム１の最適情報の送信要求がなされると、その送信要求はネットワークＮを介してエッジサーバ２１に送信される。すると、エッジサーバ２１のセンサデータ処理部３４ｂにおいて、排水システム１に最適な集水タンク１６の容量及び圧送ポンプ１８の能力を求める処理が行われる。
【００３７】
この処理結果は、エッジサーバ２１からネットワークＮを介して端末装置２２に送信され、端末装置２２に表示される。このような表示が端末装置２２になされることで、例えば排水システム１の設計者等は、集水タンク１６及び圧送ポンプ１８の交換が必要か否かの判断の参考にすることができる。また、排水システム１の設計者等は、例えば建物Ｂと同程度の新規な建物に導入する排水システム１に用いる集水タンク１６及び圧送ポンプ１８の選定の参考にすることができる。
【００３８】
以上の通り、本実施形態によれば、汚水発生源１１から集水タンク１６に集水される汚水の量を流量センサ２０によって検出し、流量センサ２０の検出情報をネットワークＮに送信し、ネットワークＮに送信された流量センサ２０の検出情報をエッジサーバ２１が収集して処理し、その処理の結果に基づいてエッジサーバ２１が圧送ポンプ１８の制御を行うようにしている。このため、効率的な運用が可能である。
【００３９】
以上、本発明の一実施形態による排水システム及びサーバ装置について詳細に説明したが、本発明は上述した実施形態に制限されることなく、本発明の範囲内で自由に変更が可能である。例えば、上記実施形態では、建物Ｂの部屋Ｒ毎に流量センサ２０を設けて、汚水（部屋Ｒ毎の汚水発生源１１で発生して集水タンク１６に集水される汚水）の流量を部屋Ｒ毎に検出する例について説明したが、他の方法によって汚水の量を検出しても良い。例えば、弁装置１４の開閉を直接的に又は間接的に検出する開閉センサを設け、その検出結果から汚水の量を検出しても良い。
【００４０】
また、上述した実施形態では、真空式の排水システム１を例に挙げて説明したが、本発明は、真空式の排水システム１以外の排水システムにも適用することができる。具体的には、集水タンク１６及び圧送ポンプ１８と同様のものを備える排水システム一般に適用することが可能である。
【符号の説明】
【００４１】
１      排水システム
１１    汚水発生源
１２    貯水部
１３    吸引管
１４    弁装置
１５    負圧排水管
１６    集水タンク
１７    真空ポンプ
１８    圧送ポンプ
２０    流量センサ
２１    エッジサーバ
Ｎ      ネットワーク
Ｐ１    負圧管
【図１】
2018162622.tif 000003
【図２】
2018162622.tif 000004